(57)【要約】【課題】繊維製品に付着した食べ物などに由来した汚れを、洗浄液を含浸させた洗浄シートを用いて拭き取る際に、該汚れ部分の洗浄性に優れる、繊維製品用拭き取り洗浄シートの提供。【解決手段】下記（ａ１）成分を０．３質量％以上１０質量％以下、下記（ｂ）成分を０．１質量％以上、及び水を含有し、（ａ１）成分の含有量と（ｂ）成分の含有量との質量比（ａ１）／（ｂ）が０．６以上５０以下である洗浄剤組成物と、不織布とを含んでなり、不織布の質量に対する前記洗浄剤組成物の質量割合が２００質量％以上５００質量％以下である、繊維製品用拭き取り洗浄シート。（ａ１）成分：ノニオン界面活性剤及びアニオン界面活性剤から選ばれる１種以上の界面活性剤（ｂ）成分：ＣｌｏｇＰが−２．０以上１．０未満の水酸基を有する有機溶剤【選択図】なし【特許請求の範囲】
【請求項１】
下記（ａ１）成分を０．３質量％以上１０質量％以下、下記（ｂ）成分を０．１質量％以上、及び水を含有し、（ａ１）成分の含有量と（ｂ）成分の含有量との質量比（ａ１）／（ｂ）が０．６以上５０以下である洗浄剤組成物と、不織布とを含んでなり、不織布の質量に対する前記洗浄剤組成物の質量割合が２００質量％以上５００質量％以下である、繊維製品用拭き取り洗浄シート。
（ａ１）成分：ノニオン界面活性剤及びアニオン界面活性剤から選ばれる１種以上の界面活性剤
（ｂ）成分：ＣｌｏｇＰが−２．０以上１．０未満の水酸基を有する有機溶剤
【請求項２】
前記洗浄剤組成物が、（ｂ）成分を０．１質量％以上１０質量％以下含有する、請求項１記載の繊維製品用拭き取り洗浄シート。
【請求項３】
（ｂ）成分が、エタノール、エチレングリコール、プロピレングリコール、グリセリン、ジエチレングリコール及びジプロピレングリコールから選ばれる１種以上である、請求項１又は２に記載の繊維製品用拭き取り洗浄シート。
【請求項４】
（ａ１）成分が、ＨＬＢが９以上１５以下であり、エチレンオキシ基を含むノニオン界面活性剤、並びにスルホン酸基、硫酸エステル基、及びこれらの塩の何れかを含むアニオン界面活性剤から選ばれる１種以上である、請求項１〜３の何れか１項に記載の繊維製品用拭き取り洗浄シート。
【請求項５】
前記洗浄剤組成物中に含まれる全界面活性剤中、（ａ１）成分の含有量が、２０質量％以上１００質量％以下である、請求項１〜４の何れか１項に記載の繊維製品用拭き取り洗浄シート。
【請求項６】
（ａ２）界面活性剤（以下、（ａ２）成分という）及び水を含有する洗浄剤組成物と、１種以上の親水性繊維を５０質量％以上含み、曲げ剛性値が０．１０ｇｆ・ｃｍ２／ｃｍ以上である不織布とを含んでなる、繊維製品用拭き取り洗浄シート。
【請求項７】
前記不織布の質量に対する前記洗浄剤組成物の質量割合が、２００質量％以上６００質量％以下である、請求項６に記載の繊維製品用拭き取り洗浄シート。
【請求項８】
前記洗浄剤組成物が、（ａ２）成分を０．１質量％以上含有する、請求項６又は７に記載の繊維製品用拭き取り洗浄シート。
【請求項９】
（ａ２）成分が、ノニオン界面活性剤及びアニオン界面活性剤から選ばれる１種以上である、請求項６〜８の何れか１項記載の繊維製品用拭き取り洗浄シート。
【発明の詳細な説明】
【技術分野】
【０００１】
本発明は、繊維製品用拭き取り洗浄シートに関する。
【背景技術】
【０００２】
洗濯した後の衣料は着用中に食べ物などの汚れや、汗や皮脂汚れが付着して汚れていく。着用中の衣料に汚れが付着した場合は、着用後に脱衣し、脱衣した衣料を、洗濯機を用いて洗濯する場合が多い。しかしながら、外出中での着用中の衣料に食べ物汚れ等の汚れがスポットで付着した場合は、汚れが付着したまま行動することになり、人は不快感を持つ場合が多い。繊維製品に付着した食べ物由来の汚れを除去する為に、繊維製品用染み取り剤組成物が知られている。
【０００３】
例えば、特許文献１には、水溶性有機溶剤と界面活性剤とを含有するしみ除去剤組成物を利用して布帛のしみを除去する際に、特定の吸収パッドを布帛にあてるしみ除去方法が開示されている。特許文献２には、繊維製品などに付着した汚れに対して、特定の揮発性有機溶剤と界面活性剤を含有する洗浄剤を含浸させたワイプで清拭することで、輪じみを少なくするシミ除去方法が開示されている。特許文献３には、凝集ポリマー、不揮発性有機溶剤、必要に応じて洗浄性界面活性剤及び水を含有し、布帛上のスポット上の汚れに直接適用することができるふき取り布が開示されている。特許文献１〜３のいずれにおいても、染み除去成分として界面活性剤や有機溶剤が使用されている。
【先行技術文献】
【特許文献】
【０００４】
【特許文献１】特開２００３−１０５３９９号公報
【特許文献２】米国特許第５８９５５０４号公報
【特許文献３】特表２００８−５１１４１７号公報
【発明の概要】
【発明が解決しようとする課題】
【０００５】
前記繊維製品用染み取り剤組成物を含浸させた洗浄シートの課題として、輪ジミが挙げられる。輪ジミは、洗浄成分として繊維製品に付着させた界面活性剤の汚れや、繊維製品に付着した食べ物汚れなどの汚れ成分を、洗浄液を用いて除去する際に、繊維製品上の該汚れ部分が洗浄液の最縁部により押し出され、繊維製品上で該汚れ部分を中心に同心円状にぬれ拡がって輪状になる現象をいう。しかしながら、既存の洗浄シートでは、前記輪ジミの問題を解決するには充分ではない。本発明者らは、繊維製品に付着した汚れを、洗浄液を含浸させた洗浄シート用いて拭き取る際に、繊維製品に付着した該汚れ部分の汚れ度合を低減したとしても、前記輪ジミの現象により、該汚れ部分を中心に汚れが拡がることで、薄い汚れが繊維製品上に拡がり、汚れの面積が拡がったように見える課題があることを見出した。
【０００６】
またシミ取り用組成物の課題として、より洗浄性を高めることが望まれている。今まで洗浄剤組成物の組成を最適化することで、更なる洗浄性の向上が試みられてきた。しかしながら、本発明者らは、洗浄剤組成物を含浸させる不織布の物理学的特性を制御することで、洗浄性をより高めることができることを見出した。
【０００７】
すなわち本発明は、繊維製品に付着した食べ物などに由来した汚れを、洗浄液を含浸させた洗浄シートを用いて拭き取る際に、該汚れ部分の洗浄性に優れる、繊維製品用拭き取り洗浄シートに関する。
【課題を解決するための手段】
【０００８】
本発明は、下記（ａ１）成分を０．３質量％以上１０質量％以下、下記（ｂ）成分を０．１質量％以上５質量％以下、及び水を含有し、（ａ１）成分の含有量と（ｂ）成分の含有量との質量比（ａ１）／（ｂ）が０．６以上５０以下である洗浄剤組成物と、不織布とを含んでなり、不織布の質量に対する前記洗浄剤組成物の質量割合が２００質量％以上５００質量％以下である、繊維製品用拭き取り洗浄シートに関する。以下、本発明の第１の態様とする。
（ａ１）成分：ノニオン界面活性剤及びアニオン界面活性剤から選ばれる１種以上の界面活性剤
（ｂ）成分：ＣｌｏｇＰが−２．０以上１．０未満の水酸基を有する有機溶剤
【０００９】
また本発明は、（ａ２）界面活性剤（以下、（ａ２）成分という）及び水を含有する洗浄剤組成物と、１種以上の親水性繊維を５０質量％以上含み、曲げ剛性値が０．１０ｇｆ・ｃｍ２／ｃｍ以上である不織布とを含んでなる、繊維製品用拭き取り洗浄シートに関する。以下、本発明の第２の態様とする。
【発明の効果】
【００１０】
本発明の第１の態様によれば、繊維製品に付着した食べ物などに由来した汚れを、洗浄液を含浸させた洗浄シートを用いて拭き取る際に、該汚れ部分の汚れ度合を低減できるだけでなく、該汚れ部分を中心とした汚れの拡散を低減できる、繊維製品用拭き取り洗浄シートが提供される。
【００１１】
また本発明の第２の態様によれば、繊維製品に付着した食べ物などに由来した汚れを、洗浄液を含浸させた洗浄シートを用いて拭き取る際に、該汚れ部分の洗浄性に優れる、繊維製品用拭き取り洗浄シートが提供される。
【発明を実施するための形態】
【００１２】
［第１の態様］
＜洗浄剤組成物＞
本発明の第１の態様の繊維製品用拭き取り洗浄シートは、前記（ａ１）成分を０．３質量％以上１０質量％以下、前記（ｂ）成分を０．１質量％以上、及び水を含有し、（ａ１）成分の含有量と（ｂ）成分の含有量との質量比（ａ１）／（ｂ）が０．６以上５０以下である洗浄剤組成物（以下、本発明の第１の態様の洗浄剤組成物という場合もある）を、不織布に含浸させることにより得ることができる。以下、本発明の第１の態様の洗浄剤組成物について説明する。
【００１３】
〔（ａ１）成分〕
本発明の第１の態様の洗浄剤組成物は、（ａ１）成分として、（ａ１１）ノニオン界面活性剤（以下、（ａ１１）成分ともいう）、及び（ａ１２）アニオン界面活性剤（以下、（ａ１２）成分ともいう）から選ばれる１種以上の界面活性剤を含有する。（ａ１）成分は繊維製品に付着した汚れの洗浄作用を有する。
【００１４】
（ａ１１）成分としては、繊維製品に付着した汚れの洗浄性をより向上できる観点から、ＨＬＢが９以上１５以下のノニオン界面活性剤が好ましい。（ａ１１）成分のＨＬＢは、ポリオキシエチレン基を有するノニオン界面活性剤の場合には、下記一般式（１）で表されるグリフィン（Griffin）法により求められる。
ＨＬＢ値＝〔（（ａ１１）成分のポリオキシエチレン基部分の分子量）／（（ａ１１）成分の分子量）〕×２０  （１）
尚、（ａ１１）成分のポリオキシエチレン基部分の分子量は、ポリオキシエチレン基の平均付加モル数の値を用いて算出するものとする。
また、ポリオキシエチレン基を有さないノニオン界面活性剤の場合には、デービス法により求めることができる。ここで、デービス法によるＨＬＢの算出方法は、「界面活性剤物性・応用・化学生態学」（北原文雄ら著講談社サイエンティフィック１９９０年５月２０日第７刷発行）の２４頁〜２５頁に記載されている方法を用いることにより算出することができる。
【００１５】
（ａ１１）成分のＨＬＢは、繊維製品に付着した汚れの洗浄性に優れる観点（以下、洗浄性の観点ともいう）から、９以上、好ましくは９．５以上、より好ましくは１０以上、より更に好ましくは１０．５以上、より更に好ましくは１１以上、そして、１５以下、好ましくは１４．５以下、より好ましくは１４以下、更に好ましくは１３以下、より更に好ましくは１２以下である。
【００１６】
（ａ１１）成分としては、洗浄性と汚れ拡散防止の観点から、ＨＬＢが９以上１５以下であり、エチレンオキシ基を含むノニオン界面活性剤が好ましい。ＨＬＢが９以上１５以下であり、エチレンオキシ基を含むノニオン界面活性剤としては、洗浄性の観点から、下記一般式（ａ１１）で表されるノニオン界面活性剤であって、ＨＬＢが９以上、好ましくは９．５以上、より好ましくは１０以上、より更に好ましくは１０．５以上、より更に好ましくは１１以上、そして、１５以下、好ましくは１４．５以下、より好ましくは１４以下、より更に好ましくは１３以下、より更に好ましくは１２以下であるノニオン界面活性剤が好ましい。
Ｒ１１ａ（ＣＯ）ｍ１Ｏ−（Ａ１１ａＯ）ｎ１−Ｒ１２ａ        （ａ１１）
〔式中、Ｒ１１ａは炭素数９以上１８以下の脂肪族炭化水素基であり、Ｒ１２ａは水素原子又はメチル基である。ＣＯはカルボニル基であり、ｍ１は０又は１の数である。Ａ１１ａＯ基はエチレンオキシ基を含む炭素数２以上４以下のアルキレンオキシ基である。ｎ１は平均付加モル数であって、３以上５０以下の数である。〕
【００１７】
一般式（ａ１１）中、Ｒ１１ａは炭素数９以上１８以下の脂肪族炭化水素基である。一般式（ａ１１）中、Ｒ１１ａ以外の他の化学構造が同じであれば、Ｒ１１ａの炭素数が大きくなる程ＨＬＢの値は低くなる。Ｒ１１ａの炭素数は、ＨＬＢの値を制御し、繊維製品に付着した汚れの洗浄性をより高める観点から、９以上、好ましくは１０以上、より好ましくは１１以上、そして、好ましくは１８以下、より好ましくは１６以下、更に好ましくは１５以下、より更に好ましくは１４以下である。
Ｒ１１ａは、繊維製品に付着した汚れの洗浄性をより高める観点から、脂肪族炭化水素基であり、好ましくはアルキル基及びアルケニル基から選ばれる基である。
【００１８】
一般式（ａ１１）中、Ａ１１ａＯ基は、エチレンオキシ基を含む炭素数２以上４以下のアルキレンオキシ基であり、好ましくはエチレンオキシ基を含む炭素数２以上３以下のアルキレンオキシ基であり、より好ましくはエチレンオキシ基である。Ａ１１ａＯ基は、エチレンオキシ基と他のアルキレンオキシ基、例えばプロピレンオキシ基とを含むアルキレンオキシ基でも良い。他のアルキレンオキシ基は、プロピレンオキシ基が好ましい。Ａ１１ａＯ基が、エチレンオキシ基とプロピレンオキシ基を含む場合は、エチレンオキシ基とプロピレンオキシ基は、ブロック型結合でもランダム型結合であってもよい。エチレンオキシ基はプロピレンオキシ基よりもＨＬＢの値を高くさせる。
【００１９】
一般式（ａ１１）中、ｎ１は、Ａ１１ａＯ基の数平均付加モル数であって、３以上５０以下の数である。一般式（ａ１１）中、ｎ１以外の他の化学構造が同じであれば、ｎ１の数が大きくなる程ＨＬＢの値は高くなり、小さくなる程ＨＬＢの値は低くなる。ｎ１は、ＨＬＢの値を制御し、繊維製品に付着した汚れの洗浄性をより高める観点から、３以上、好ましくは４以上、より好ましくは５以上、更に好ましくは６以上で、そして、５０以下、好ましくは４０以下、より好ましくは３０以下、更に好ましくは２０以下、より更に好ましくは１５以下、より更に好ましくは１２以下、より更に好ましくは１０以下、より更に好ましくは８以下、より更に好ましくは７以下である。
【００２０】
ポリオキシエチレン基を有さないノニオン界面活性剤の場合の具体例としては、蔗糖脂肪酸エステル、グリセリン脂肪酸エステル、ソルビタン脂肪酸エステル、アルキルグリコシド、及びグリセリルモノエーテルから選ばれる１種以上が挙げられる。また前記ポリオキシエチレン基を有さないノニオン界面活性剤は、デービス法によるＨＬＢが９以上１５以下であることが好ましい。
【００２１】
本発明の（ａ１２）成分の具体例としては、下記（ａ１２１）成分、（ａ１２２）成分、（ａ１２３）成分及び（ａ１２４）成分から選ばれる１種以上のアニオン界面活性剤が挙げられる。
（ａ１２１）成分：アルキル又はアルケニル硫酸エステル塩
（ａ１２２）成分：ポリオキシアルキレンアルキルエーテル硫酸エステル塩又はポリオキシアルキレンアルケニルエーテル硫酸エステル塩
（ａ１２３）成分：スルホン酸塩基を有するアニオン界面活性剤
（ａ１２４）成分：炭素数が１０以上２０以下の脂肪酸又はその塩（但し、（ａ１２３）成分を除く）
【００２２】
（ａ１２１）成分として、より具体的には、アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤が挙げられる。（ａ１２１）成分は、洗浄性の向上の観点から、アルキル基の炭素数が１２以上１４以下のアルキル硫酸エステル塩が好ましく、アルキル基の炭素数が１２以上１４以下のアルキル硫酸エステルナトリウムがより好ましい。
【００２３】
（ａ１２２）成分として、より具体的には、アルキル基の炭素数が１０以上１８以下、アルキレンオキシ基の平均付加モル数が１以上３以下のポリオキシアルキレンアルキル硫酸エステル塩、並びにアルケニル基の炭素数が１０以上１８以下、及びアルキレンオキシ基の平均付加モル数が１以上３以下のポリオキシアルキレンアルケニルエーテル硫酸エステル塩から選ばれる１種以上のアニオン界面活性剤が挙げられる。（ａ１２２）成分は、洗浄性の向上の観点から、エチレンオキシ基の平均付加モル数が１以上２．２以下であるポリオキシエチレンアルキル硫酸エステル塩が好ましく、アルキル基の炭素数が１２以上１４以下でかつ、エチレンオキシ基の平均付加モル数が１以上２．２以下であるポリオキシエチレンアルキル硫酸エステル塩がより好ましく、これらのナトリウム塩が更に好ましい。
【００２４】
（ａ１２３）成分であるスルホン酸塩基を有するアニオン界面活性剤とは、親水基としてスルホン酸塩を有するアニオン界面活性剤である。
（ａ１２３）成分として、より具体的には、アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤が挙げられる。（ａ１２３）成分は、洗浄性の向上の観点から、アルキル基の炭素数が１１以上１４以下のアルキルベンゼンスルホン酸塩が好ましく、アルキル基の炭素数が１１以上１４以下のアルキルベンゼンスルホン酸ナトリウムがより好ましい。
【００２５】
（ａ１２４）成分である炭素数１０以上２０以下の脂肪酸又はその塩とは、カルボキシル基及びカルボキシル基が結合した炭化水素基の合計の炭素数が１０以上２０以下の脂肪酸又はその塩であるであることを意味する。（ａ１２４）成分の炭素数は、１０以上、好ましくは１２以上、そして、２０以下、好ましくは１８以下である。
【００２６】
（ａ１２１）成分〜（ａ１２４）成分であるアニオン界面活性剤の塩としては、アルカリ金属塩が好ましく、ナトリウム塩又はカリウム塩がより好ましく、ナトリウム塩が更に好ましい。
【００２７】
（ａ１）成分は、繊維製品に付着した汚れの洗浄性をより高める観点から、ＨＬＢが９以上１５以下であり、エチレンオキシ基を含むノニオン界面活性剤、並びにスルホン酸基、硫酸エステル基、及びこれらの塩の何れかを含むアニオン界面活性剤から選ばれる１種以上が好ましく、前記一般式（ａ１１）で表されるＨＬＢが９以上１５以下のノニオン界面活性剤、（ａ１２１）成分、（ａ１２２）成分、及び（ａ１２３）成分から選ばれる１種以上がより好ましい。
【００２８】
〔（ｂ）成分〕
本発明の（ｂ）成分はＣｌｏｇＰが−２．０以上１．０未満の水酸基を有する有機溶剤である。（ｂ）成分は（ａ１）成分と特定の比率で用いることで、（ａ１）成分による繊維製品に付着した汚れの洗浄性を維持しつつ、該汚れ部分を中心とした汚れの拡散を低減する作用を有する。本発明においてＣＬｏｇＰはＰｅｒｋｉｎ  Ｅｌｍｅｒ社のＣｈｅｍＢｉｏＤｒａｗ Ｕｌｔｒａｖｅｒ．１４．０のＣｈｅｍＰｒｏｐｅｒｔｙを用いて算出した計算値を用いる。なお、ＣｌｏｇＰの値が大きい程、疎水性が高いことを表す。
【００２９】
（ａ１）成分と特定の比率で用いることで、（ａ１）成分による繊維製品に付着した汚れの洗浄性を維持しつつ、該汚れ部分を中心とした汚れの拡散をより低減する観点から、（ｂ）成分のＣｌｏｇＰは、好ましくは−１．６以上、より好ましくは−１．３以上、そして、同じ観点から、好ましくは０．８以下、より好ましくは０．５以下、更に好ましくは０．２以下、より更に好ましくは０．１以下である。
【００３０】
（ａ１）成分と特定の比率で用いることで、（ａ１）成分による繊維製品に付着した汚れの洗浄性を維持しつつ、該汚れ部分を中心とした汚れの拡散を低減する作用をより有する点で、（ｂ）成分は、下記（ｂ１）〜（ｂ３）成分から選ばれる１種以上の水酸基を有する有機溶剤が好ましい。
（ｂ１）成分：炭素数２以上６以下の１価のアルコールであって、ＣｌｏｇＰが−２．０以上１．０未満の水酸基を有する有機溶剤
（ｂ２）成分：炭素数２以上１２以下、且つ２価以上１２価以下のアルコールであって、ＣｌｏｇＰが−２．０以上１．０未満の水酸基を有する水酸基を有する有機溶剤
（ｂ３）成分：炭素数１以上８以下の炭化水素基、エーテル基及び水酸基を有し、ＣｌｏｇＰが−２．０以上１．０未満である有機溶剤（但し、炭化水素基は芳香族基を除く。）
以下に（ｂ１）成分〜（ｂ３）成分の具体例を示す。尚（  ）内の数字は、Ｐｅｒｋｉｎ  Ｅｌｍｅｒ社のＣｈｅｍＢｉｏ Ｄｒａｗ Ｕｌｔｒａｖｅｒ．１４．０のＣｈｅｍＰｒｏｐｅｒｔｙを用いて算出した各成分の計算値（ＣＬｏｇＰ）である。
【００３１】
（ｂ１）成分としては、エタノール（−０．２４）、１−プロパノール（０．２９）、２−プロパノール（０．０７）が挙げられる。
【００３２】
（ｂ２）成分としては、エチレングリコール（−１．４）、プロピレングリコール（−１．１）、ブチレングリコール（−０．７３）、ヘキシレングリコール（−０．０２）、ジエチレングリコール（−１．３）、トリエチレングリコール（−１．５）、テトラエチレングリコール（−１．６６）、ジプロピレングリコール（−０．６９）、トリプロピレングリコール（−０．５５）、グリセリン（−１．５）が挙げられる。
【００３３】
（ｂ３）成分としては、ジエチレングリコールモノメチルエーテル（−０．７８）、ジエチレングリコールジメチルエーテル（−０．２６）、トリエチレングリコールモノメチルエーテル（−０．９６）、ジエチレングリコールモノエチルエーテル（−０．３９）、ジエチレングリコールジエチルエーテル（０．５２）、ジエチレングリコールモノブチルエーテル（０．６７）、ジプロピレングリコールモノメチルエーテル（−０．１６）、ジプロピレングリコールモノエチルエーテル（０．２３）、トリプロピレングリコールモノメチルエーテル（−０．０３）、１−メトキシ−２−プロパノール（−０．３０）、１−エトキシ−２−プロパノール（０．０９）、１−メチルグリセリンエーテル（−１．４３）、２−メチルグリセリンエーテル（−０．７３）、１，３−ジメチルグリセリンエーテル（−０．６７）、１−エチルグリセリンエーテル（−１．０４）、１，３−ジエチルグリセリンエーテル（０．１１）、トリエチルグリセリンエーテル（０．８３）、１−ペンチルグリセリルエーテル（０．５４）が挙げられる。
【００３４】
（ｂ）成分は、汚れが付着した中心部の洗浄性の向上と汚れの中心部からの拡がりを低減できる観点から、前記（ｂ１）成分と（ｂ２）成分を併用する事が好ましい。
本発明の第１の態様の洗浄剤組成物において、前記（ｂ１）成分と（ｂ２）成分を含有する場合、（ｂ１）成分の含有量と（ｂ２）成分の含有量の質量比（ｂ１）／（ｂ２）は、使用感の観点から、好ましくは０．１以上、より好ましくは０．２以上、更に好ましくは０．５以上、より更に好ましくは１以上、そして、好ましくは２０以下、より好ましくは１５以下、更に好ましくは１０以下、より更に好ましくは５以下、より更に好ましくは３以下である。
本発明の第１の態様の洗浄剤組成物において、（ｂ１）成分と（ｂ２）成分を併用する場合は、（ｂ）成分中、（ｂ１）成分と（ｂ２）成分の合計の割合は、好ましくは６０質量％以上、より好ましくは８０質量％以上、そして、好ましくは１００質量％以下であり、１００質量％であってもよい。
【００３５】
本発明で用いる（ｂ１）成分としては、使用感の観点から、エタノールが好ましく、（ｂ２）成分としては、液安定性の観点から、エチレングリコール、プロピレングリコール、グリセリン、ジエチレングリコール及びジプロピレングリコールから選ばれる１種以上が好ましい。（ｂ）成分は、エタノール、エチレングリコール、プロピレングリコール、グリセリン、ジエチレングリコール及びジプロピレングリコールから選ばれる１種以上が好ましい。
【００３６】
〔組成等〕
本発明の第１の態様の洗浄剤組成物は、（ａ１）成分を、繊維製品に付着した汚れの洗浄性をより高める観点から、０．３質量％以上、好ましくは０．４質量％以上、より好ましくは０．５質量％以上、更に好ましくは１質量％以上、そして、繊維製品に適用した洗浄剤組成物の手触りがよりべたつかない観点から、１０質量％以下、好ましくは９質量％以下、より好ましくは８質量％以下、更に好ましくは７質量％以下、より更に好ましくは６質量％以下、より更に好ましくは５質量％以下含有する。
【００３７】
本発明の第１の態様の洗浄剤組成物において、前記組成物中に含まれる全界面活性剤中、（ａ１）成分の含有量は、洗浄性の観点から、好ましくは２０質量％以上、より好ましくは４０質量％以上、更に好ましくは６０質量％以上、より更に好ましくは８０質量％以上、そして、好ましくは１００質量％以下であり、また１００質量％であってもよい。
【００３８】
本発明の第１の態様の洗浄剤組成物は、（ｂ）成分を、繊維製品に付着した汚れの洗浄性と、該汚れ部分を中心とした汚れ拡散の低減を両立する観点から、０．１質量％以上、好ましくは０．２質量％以上、より好ましくは０．３質量％以上、更に好ましくは０．５質量％以上、そして、１０質量％以下、好ましくは８質量％以下、より好ましくは５質量％以下、好ましくは４質量％以下、更に好ましくは３質量％以下、より更に好ましくは２質量％以下、より更に好ましくは１．５質量％以下含有する。
【００３９】
本発明の第１の態様の洗浄剤組成物において、（ａ１）成分の含有量と（ｂ）成分の含有量との質量比（ａ１）／（ｂ）は、繊維製品に付着した汚れの洗浄性がより高める観点から、０．６０以上、好ましくは０．７０以上、より好ましくは０．８０以上、更に好ましくは１．０以上、そして、繊維製品に付着した汚れ部分を中心とした汚れ拡散を低減する観点から、５０以下、好ましくは３０以下、より好ましくは１０以下、更に好ましくは７以下、より更に好ましくは５以下、より更に好ましくは４以下、より更に好ましくは３以下、より更に好ましくは２以下、より更に好ましくは１．５以下である。
【００４０】
本発明の洗浄剤組成物は、任意成分として、下記（ｃ１）成分〜（ｃ６）成分を含有することができる。
（ｃ１）成分：（ａ１）成分以外の界面活性剤
（ｃ２）成分：（ｂ）成分以外の有機溶剤
（ｃ３）成分：アミノ基及びヒドロキシル基を含む炭素数１以上８以下のヒドロキシルアミン化合物
（ｃ４）成分：炭素数１以上９以下のカルボン酸又はその塩
（ｃ５）成分：ケイ素原子を含む化合物
（ｃ６）成分：香料化合物、酸化防止剤、防腐剤、色素又はｐＨ調整剤（但し、前記（ａ１）成分、（ｂ）成分、（ｃ１）成分〜（ｃ５）成分を除く）
【００４１】
（ｃ１）成分は、（ａ１）成分以外の界面活性剤であり、清拭後の衣類抑臭の観点から、両性界面活性剤及びカチオン界面活性剤から選ばれる１種以上の界面活性剤が好ましい。
【００４２】
両性界面活性剤としては、特に限定されるものではないが、例えば炭素数８以上１８以下のアルキル基を有するアルキルアミンオキシド、カルボベタイン、アミドベタイン、スルホベタイン、アミドスルホベタイン、イミダゾリニウムベタイン、ホスホベタイン等が挙げられる。（ｃ１）成分が両性界面活性剤である場合、本発明の第１の態様の洗浄剤組成物は、（ｃ１）成分を、起泡性の向上の観点から、好ましくは０．１質量％以上、そして、好ましくは４質量％以下、より好ましくは２質量％以下含有する。
【００４３】
カチオン界面活性剤としては、特に限定されるものではないが、第４級アンモニウム型界面活性剤又は３級アミン型界面活性剤が好ましく、更にはエーテル結合、オキシアルキレン基、エステル基、若しくはアミド基で分断されていてもよい炭素数６以上２２以下の炭化水素基を１つ有する第４級アンモニウム型界面活性剤又は３級アミン型界面活性剤がより好ましい。（ｃ１）成分がカチオン界面活性剤である場合、本発明の第１の態様の洗浄剤組成物は、（ｃ１）成分を、起泡性の向上の観点から、好ましくは０．１質量％以上、より好ましくは３質量％以上、そして、好ましくは１質量％以下含有する。
【００４４】
（ｃ２）成分は、（ｂ）成分以外の有機溶剤である。（ｃ２）成分は、例えば、ＣｌｏｇＰが１．０以上２．２以下の水酸基を有する有機溶剤である。本発明において、（ｃ２）成分は（ｂ）成分と特定の比率で用いることで、該汚れ部分を中心とした汚れの拡散をより低減する作用を有する。該汚れ部分を中心とした汚れの拡散をより低減する作用を有する点で、（ｃ２）成分は、炭素数１以上８以下の炭化水素基、エーテル基及び水酸基を有し、ＣｌｏｇＰが１１．０以上２．２以下の有機溶剤が好ましい。下記に（ｃ２）成分の具体例を示す。尚（  ）内の数字は、Ｐｅｒｋｉｎ  Ｅｌｍｅｒ社のＣｈｅｍＢｉｏ 
Ｄｒａｗ Ｕｌｔｒａｖｅｒ．１４．０のＣｈｅｍＰｒｏｐｅｒｔｙを用いて算出した各成分の計算値（ＣＬｏｇＰ）である。
（ｃ２）成分のＣｌｏｇＰは（ｂ）成分と特定の比率で用いることで、該汚れ部分を中心とした汚れの拡散をより低減する観点で、ＣｌｏｇＰが好ましくは１．１以上、そして、同じ観点から、好ましくは２以下、より好ましくは１．６以下、更に好ましくは１．４以下である。
【００４５】
（ｃ２）成分としては、２−ペンチルグリセリルエーテル（１．２５）、１−オクチルグリセリルエーテル（２．１）、２−エチルヘキシルグリセリルエーテル（２．０）、２−フェノキシエタノール（１．２）、ジエチレングリコールモノフェニルエーテル（１．２５）、トリエチレングリコールモノフェニルエーテル（１．０８）、２−ベンジルオキシエタノール（１．１）、ジエチレングリコールモノベンジルエーテル（１．０）が挙げられる。
【００４６】
本発明の第１の態様の洗浄剤組成物は、（ｃ２）成分を、０．０１質量％以上３質量％以下の範囲で含有することができる。
【００４７】
（ｃ３）成分において、アミノ基は、１級アミノ基及び２級アミノ基から選ばれる１種以上のアミノ基が好ましい。（ｃ３）成分の具体例としては、モノエタノールアミン、モノ低級アルキル（炭素数１以上３以下）アミノモノエタノールアミン、モノ低級アルキル（炭素数１以上３以下）アミノジエタノールアミン、ジ低級アルキル（炭素数１以上３以下）アミノモノエタノールアミン、トリエタノールアミン及びトリスヒドロキシメチルアミノメタンから選ばれる１種以上の化合物が挙げられる。（ｃ３）成分は、本発明の第１の態様の洗浄剤組成物中のｐＨによりアンモニウムイオンとして含有しても良い。本発明の第１の態様の洗浄剤組成物は、（ｃ３）成分を、０．１質量％以上２質量％以下の範囲で含有することができる。
【００４８】
（ｃ４）成分の具体例としては、ギ酸、グリコール酸、乳酸、クエン酸、マレイン酸、フマル酸、サリチル酸安息香酸、及びそれらの塩から選ばれる１種以上の化合物が挙げられる。塩としてはナトリウム塩等のアルキル金属塩、マグネシウム塩又はカルシウム塩等のアルカリ土類金属塩が挙げられる。本発明の第１の態様の洗浄剤組成物は、（ｃ４）成分を、０．１質量％以上３質量％以下の範囲で含有することができる。
【００４９】
（ｃ５）成分の具体例としては、二酸化ケイ素、及びシリコーン化合物から選ばれる１種以上の化合物が挙げられる。シリコーン化合物としては、ジメチルポリシロキサン、炭素数２以上３以下のオキシエチレン基を含むポリエーテル変性シリコーン化合物、１級〜３級アミノ基から選ばれる１種以上のアミノ基を有するシリコーン化合物が挙げられる。本発明の第１の態様の洗浄剤組成物は、（ｃ５）成分を、０．０１質量％以上１質量％以下の範囲で含有することができる。
【００５０】
本発明の第１の態様の洗浄剤組成物は、水を含有する。水としては、イオン交換水、蒸留水、滅菌精製水、水道水又は次亜塩素酸ナトリウム等の次亜塩素酸塩を０．１ｍｇ／ｋｇ以上５ｍｇ／ｋｇ以下含む水を使用することができる。
本発明の第１の態様の洗浄剤組成物は、水を、好ましくは７０質量％以上、より好ましくは７５質量％以上、更に好ましくは８０質量％以上、そして、好ましくは９９質量％以下、より好ましくは９８質量％以下、更に好ましくは９７質量％以下含有する。
【００５１】
本発明の第１の態様の洗浄剤組成物において、２５℃におけるｐＨは、洗浄性能及び手肌感触の観点から、好ましくは６．０以上、より好ましくは６．５以上、更に好ましくは７．０以上、より更に好ましくは７．５以上、そして、好ましくは９．０以下、より好ましくは８．０以下である。本発明の第１の態様の洗浄剤組成物のｐＨは、ガラス電極を用いて、実施例に記載の方法で測定することができる。
【００５２】
＜洗浄シート＞
本発明の第１の態様の繊維製品用拭き取り洗浄シートは、本発明の第１の態様の洗浄剤組成物と、不織布とを含んでなり、不織布の質量に対する前記洗浄剤組成物の質量割合が２００質量％以上５００質量％以下である、洗浄シートである。本発明の第１の態様の繊維製品用拭き取り洗浄シートは、繊維製品に付着した汚れの拭き取り用洗浄シートとして好適である。
【００５３】
本発明の第１の態様の繊維製品用拭き取り洗浄シートにおいて、不織布は、シート状に加工したものであり、不織布を構成する繊維は、親水性繊維、及び疎水性繊維から選ばれる１種以上の繊維から構成されるものが好ましい。
本発明において、親水性繊維とは、標準状態の水分率（２０℃、６５％ＲＨ）が５％を超える繊維を指している。なお標準状態の水分率は、ＪＩＳＬ １０１３、ＪＩＳＬ１０１５に規定される方法により測定される。また疎水性繊維とは、標準状態の水分率（２０℃、６５％ＲＨ）が５質量％以下の繊維を指す。
【００５４】
疎水性繊維である化学繊維としては、例えば、ポリアミド系繊維（ナイロンなど）、ポリエステル系繊維（ポリエステルなど）、ポリアクリロニトリル系繊維（アクリルなど）、ポリビニルアルコール系繊維（ビニロンなど）、ポリ塩化ビニル系繊維（ポリ塩化ビニルなど）、ポリ塩化ビニリデン系繊維（ビニリデンなど）、ポリオレフィン系繊維（ポリエチレン、ポリプロピレンなど）、ポリウレタン系繊維（ポリウレタンなど）、ポリ塩化ビニル／ポリビニルアルコール共重合系繊維（ポリクレラールなど）などが挙げられ、これらは１種又は２種以上を用いることができる。疎水性繊維は、好ましくはポリオレフィン系繊維、ポリエステル系繊維、及びポリエステル系繊維から選ばれる１種以上である。
【００５５】
親水性繊維としては、種子毛繊維（綿、もめん、カポックなど）、靭皮繊維（麻、亜麻、苧麻、大麻、黄麻など）、葉脈繊維（マニラ麻、サイザル麻など）、やし繊維、いぐさ、わら、獣毛繊維（羊毛、モヘア、カシミヤ、らくだ毛、アルパカ、ビキュナ、アンゴラなど）、絹繊維（家蚕絹、野蚕絹）、羽毛、セルロース系繊維（レーヨン、ポリノジック、キュプラ、アセテートなど）、親水化ポリエチレンテレフタレート繊維（親水化処理されたポリエチレンテレフタレート繊維であり、前記の標準状態の水分率が親水性繊維の範囲にある繊維）等が挙げられ、これらは１種又は２種以上を用いることができる。親水性繊維は、好ましくはセルロース系繊維、種子毛繊維、親水化ポリエチレンテレフタレート繊維から選ばれる１種以上である。
【００５６】
本発明に用いる不織布は、親水性繊維を含むことが好ましい。本発明に用いる不織布は、親水性繊維を、洗浄性をより高める観点から、好ましくは５０質量％以上、より好ましくは６０質量％以上、更に更に好ましくは７０質量％以上、より更に好ましくは７５質量％以上、そして、好ましくは１００質量％以下、より好ましくは９０質量％以下、更に好ましくは８５質量％以下含む不織布が好適である。
また、本発明に用いる不織布は、親水性繊維を、汚れ周辺部の汚れ残留性をより低くする観点から、好ましくは５０質量％以上、より好ましくは６０質量％以上、そして、好ましくは１００質量％以下、より好ましくは９０質量％以下、更に好ましくは８０質量％以下、より更に好ましくは７０質量％以下含む不織布が好適である。
【００５７】
本発明に用いる不織布の坪量は、繊維製品に付着した汚れ部分を中心とした汚れ拡散を低減する観点から、好ましくは１０ｇ／ｍ２以上、より好ましくは２０ｇ／ｍ２以上、そして、好ましくは１００ｇ／ｍ２以下、より好ましくは８０ｇ／ｍ２以下、更に好ましくは６０ｇ／ｍ２以下ある。
【００５８】
本発明に用いる不織布の曲げ剛性値（Ｂ値）は、洗浄性をより高める観点から、好ましくは０．１０ｇｆ・ｃｍ２／ｃｍ以上、より好ましくは０．１２ｇｆ・ｃｍ２／ｃｍ以上、更に好ましくは０．１３ｇｆ・ｃｍ２／ｃｍ以上、より更に好ましくは０．１５ｇｆ・ｃｍ２／ｃｍ以上、より更に好ましくは０．２ｇｆ・ｃｍ２／ｃｍ以上、そして、好ましくは３ｇｆ・ｃｍ２／ｃｍ以下、より好ましくは２ｇｆ・ｃｍ２／ｃｍ以下、更に好ましくは１ｇｆ・ｃｍ２／ｃｍ以下である。本発明において、曲げ剛性値は以下の方法により測定することができる。純曲げ試験機（例えば、KES-FB2（カトーテック株式会社製））を使用し、２０ｃｍ×２０ｃｍの大きさに裁断した不織布を、曲率Ｋ＝±２．５ｃｍ−１の範囲で等速度（変形速度０．５ｃｍ−１／ｓｅｃ.）の曲げ試験を行い、単位長さあたりの曲げ剛性Ｂ値（ｇｆ・ｃｍ２／ｃｍ）を算出する。曲げ試験は、縦方向と横方向で３か所ずつ実施し、縦方向と横方向のそれぞれの平均値を算出し、縦方向と横方向で、値の大きい方を曲げ剛性値（Ｂ値）とする。
【００５９】
不織布の質量に対する本発明の洗浄剤組成物の質量割合（含浸率（質量％））は、洗浄性をより高める観点から、２００質量％以上、好ましくは２５０質量％以上、より好ましくは３００質量％以上、更に好ましくは３５０質量％以上、そして、繊維製品に付着した汚れ周辺部の残留性をより低くする観点から、５００質量％以下、好ましくは４２０質量％以下、より好ましくは３８０質量％以下、更に好ましくは３６０質量％以下である。含浸率は、以下の式より算出する。
含浸率（質量％）＝（（洗浄剤組成物を含浸させた不織布の質量）／（乾燥した不織布の質量）−１）×１００
【００６０】
本発明の第１の態様の繊維製品用拭き取り洗浄シートは、繊維製品の食べ物などに由来した汚れが付着した部分を本発明の洗浄シートを用いて拭き取ることで、該汚れ部分の汚れ度合を低減することができるだけでなく、該汚れ部分を中心とした汚れの拡散も低減することができる。
本発明が対象とする繊維製品に付着した汚れは、食べ物、血液、化粧品に由来する染み汚れであり、食べ物に由来する染み汚れを対象とするのがより好ましい。本発明の第１の態様の繊維製品用拭き取り洗浄シートを用いて拭き取る方法は、繊維製品に付着した染み汚れに本発明の洗浄シートを押し当てて、繊維製品に損傷を与えない範囲で外力を加えて、繊維製品に付着した染み汚れを本発明の洗浄シートに移し取ればよく、擦る、揉む、叩く、のいずれであってもよい。
【００６１】
［第２の態様］
＜洗浄剤組成物＞
本発明の第２の態様の繊維製品用拭き取り洗浄シートは、前記（ａ２）成分及び水を含有する洗浄剤組成物（以下、本発明の第２の態様の洗浄剤組成物という場合もある）を、所定の不織布に含浸させることにより得ることができる。以下、本発明の第２の態様の洗浄剤組成物について説明する。
【００６２】
〔（ａ２）成分〕
本発明の第２の態様の洗浄剤組成物は、（ａ２）成分として、界面活性剤を含有する。（ａ２）成分は繊維製品に付着した汚れの洗浄作用を有する。（ａ２）成分は、（ａ２１）ノニオン界面活性剤（以下、（ａ２１）成分ともいう）、及び（ａ２２）アニオン界面活性剤（以下、（ａ２２）成分ともいう）から選ばれる１種以上の界面活性剤が好ましい。
【００６３】
（ａ２１）成分としては、繊維製品に付着した汚れの洗浄性をより向上できる観点から、ＨＬＢが９以上１５以下のノニオン界面活性剤が好ましい。（ａ２１）成分のＨＬＢは、ポリオキシエチレン基を有するノニオン界面活性剤の場合には、下記一般式（１）で表されるグリフィン（Griffin）法により求められる。
ＨＬＢ値＝〔（（ａ２１）成分のポリオキシエチレン基部分の分子量）／（（ａ２１）成分の分子量）〕×２０  （１）
尚、（ａ２１）成分のポリオキシエチレン基部分の分子量は、ポリオキシエチレン基の平均付加モル数の値を用いて算出するものとする。
また、ポリオキシエチレン基を有さないノニオン界面活性剤の場合には、デービス法により求めることができる。ここで、デービス法によるＨＬＢの算出方法は、「界面活性剤物性・応用・化学生態学」（北原文雄ら著講談社サイエンティフィック１９９０年５月２０日第７刷発行）の２４頁〜２５頁に記載されている方法を用いることにより算出することができる。
【００６４】
（ａ２１）成分のＨＬＢは、繊維製品に付着した汚れの洗浄性に優れる観点（以下、洗浄性の観点ともいう）から、９以上、好ましくは９．５以上、より好ましくは１０以上、より更に好ましくは１０．５以上、より更に好ましくは１１以上、そして、１５以下、好ましくは１４．５以下、より好ましくは１４以下、より更に好ましくは１３以下、より更に好ましくは１２以下である。
【００６５】
（ａ２１）成分としては、洗浄性と汚れ拡散防止の観点から、ＨＬＢが９以上１５以下であり、エチレンオキシ基を含むノニオン界面活性剤が好ましい。ＨＬＢが９以上１５以下であり、エチレンオキシ基を含むノニオン界面活性剤としては、洗浄性の観点から、下記一般式（ａ２１）で表されるノニオン界面活性剤であって、ＨＬＢが９以上、好ましくは９．５以上、より好ましくは１０以上、より更に好ましくは１０．５以上、より更に好ましくは１１以上、そして、１５以下、好ましくは１４．５以下、より好ましくは１４以下、より更に好ましくは１３以下、より更に好ましくは１２以下であるノニオン界面活性剤が好ましい。
Ｒ２１ａ（ＣＯ）ｍ２Ｏ−（Ａ２１ａＯ）ｎ２−Ｒ２２ａ        （ａ２１）
〔式中、Ｒ２１ａは炭素数９以上１８以下の脂肪族炭化水素基であり、Ｒ２２ａは水素原子又はメチル基である。ＣＯはカルボニル基であり、ｍ２は０又は１の数である。Ａ２１ａＯ基はエチレンオキシ基を含む炭素数２以上４以下のアルキレンオキシ基である。ｎ２は平均付加モル数であって、３以上５０以下の数である。〕
【００６６】
一般式（ａ２１）中、Ｒ２１ａは炭素数９以上１８以下の脂肪族炭化水素基である。一般式（ａ２１）中、Ｒ２１ａ以外の他の化学構造が同じであれば、Ｒ２１ａの炭素数が大きくなる程ＨＬＢの値は低くなる。Ｒ２１ａの炭素数は、ＨＬＢの値を制御し、繊維製品に付着した汚れの洗浄性をより高める観点から、９以上、好ましくは１０以上、より好ましくは１１以上、そして、好ましくは１８以下、より好ましくは１６以下、更に好ましくは１５以下、より更に好ましくは１４以下である。
Ｒ２１ａは、繊維製品に付着した汚れの洗浄性をより高める観点から、脂肪族炭化水素基であり、好ましくはアルキル基及びアルケニル基から選ばれる基である。
【００６７】
一般式（ａ２１）中、Ａ２１ａＯ基は、エチレンオキシ基を含む炭素数２以上４以下のアルキレンオキシ基であり、好ましくはエチレンオキシ基を含む炭素数２以上３以下のアルキレンオキシ基であり、より好ましくはエチレンオキシ基である。Ａ２１ａＯ基は、エチレンオキシ基と他のアルキレンオキシ基、例えばプロピレンオキシ基とを含むアルキレンオキシ基でも良い。他のアルキレンオキシ基は、プロピレンオキシ基が好ましい。Ａ２１ａＯ基が、エチレンオキシ基とプロピレンオキシ基を含む場合は、エチレンオキシ基とプロピレンオキシ基は、ブロック型結合でもランダム型結合であってもよい。エチレンオキシ基はプロピレンオキシ基よりもＨＬＢの値を高くさせる。
【００６８】
一般式（ａ２１）中、ｎ２は、Ａ２１ａＯ基の数平均付加モル数であって、３以上５０以下の数である。一般式（ａ２１）中、ｎ２以外の他の化学構造が同じであれば、ｎ２の数が大きくなる程ＨＬＢの値は高くなり、小さくなる程ＨＬＢの値は低くなる。ｎ２は、ＨＬＢの値を制御し、繊維製品に付着した汚れの洗浄性をより高める観点から、３以上、好ましくは４以上、より好ましくは５以上、更に好ましくは６以上で、そして、５０以下、好ましくは４０以下、より好ましくは３０以下、更に好ましくは２０以下、より更に好ましくは１５以下、より更に好ましくは１２以下、より更に好ましくは１０以下、より更に好ましくは８以下、より更に好ましくは７以下である。
【００６９】
ポリオキシエチレン基を有さないノニオン界面活性剤の場合の具体例としては、蔗糖脂肪酸エステル、グリセリン脂肪酸エステル、ソルビタン脂肪酸エステル、アルキルグリコシド、及びグリセリルモノエーテルから選ばれる１種以上が挙げられる。前記ポリオキシエチレン基を有さないノニオン界面活性剤は、デービス法によるＨＬＢが９以上１５以下であることが好ましい。
【００７０】
本発明の（ａ２２）成分の具体例としては、下記（ａ２２１）成分、（ａ２２２）成分、（ａ２２３）成分及び（ａ２２４）成分から選ばれる１種以上のアニオン界面活性剤が挙げられる。
（ａ２２１）成分：アルキル又はアルケニル硫酸エステル塩
（ａ２２２）成分：ポリオキシアルキレンアルキルエーテル硫酸エステル塩又はポリオキシアルキレンアルケニルエーテル硫酸エステル塩
（ａ２２３）成分：スルホン酸塩基を有するアニオン界面活性剤
（ａ２２４）成分：炭素数が１０以上２０以下の脂肪酸又はその塩（但し、（ａ２２３）成分を除く）
【００７１】
（ａ２２１）成分の具体例、及び好ましい態様は、本発明の第１の態様において、上記した（ａ１２１）成分と同じである。
（ａ２２２）成分の具体例、及び好ましい態様は、本発明の第１の態様において、上記した（ａ１２２）成分と同じである。
（ａ２２３）成分の具体例、及び好ましい態様は、本発明の第１の態様において、上記した（ａ１２３）成分と同じである。
（ａ２２４）成分の具体例、及び好ましい態様は、本発明の第１の態様において、上記した（ａ１２４）成分と同じである。
【００７２】
（ａ２２１）成分〜（ａ２２４）成分であるアニオン界面活性剤の塩としては、アルカリ金属塩が好ましく、ナトリウム塩又はカリウム塩がより好ましく、ナトリウム塩が更に好ましい。
【００７３】
（ａ２）成分は、繊維製品に付着した汚れの洗浄性をより高める観点から、ＨＬＢが９以上１５以下であり、エチレンオキシ基を含むノニオン界面活性剤、並びにスルホン酸基、硫酸エステル基、及びこれらの塩の何れかを含むアニオン界面活性剤から選ばれる１種以上が好ましく、前記一般式（ａ２１）で表されるＨＬＢが９以上１５以下のノニオン界面活性剤、（ａ２２１）成分、（ａ２２２）成分、及び（ａ２２３）成分から選ばれる１種以上がより好ましい。
【００７４】
前記（ａ２１）成分、（ａ２２）成分以外の界面活性剤としては、両性界面活性剤やカチオン界面活性剤を選択することができる。
両性界面活性剤としては、特に限定されるものではないが、例えば炭素数８以上１８以下のアルキル基を有するアルキルアミンオキシド、カルボベタイン、アミドベタイン、スルホベタイン、アミドスルホベタイン、イミダゾリニウムベタイン、ホスホベタイン等が挙げられる。
カチオン界面活性剤としては、特に限定されるものではないが、第４級アンモニウム型界面活性剤又は３級アミン型界面活性剤が好ましく、更にはエーテル結合、オキシアルキレン基、エステル基、若しくはアミド基で分断されていてもよい炭素数６以上２２以下の炭化水素基を１つ有する第４級アンモニウム型界面活性剤又は３級アミン型界面活性剤がより好ましい。
【００７５】
〔組成等〕
本発明の第２の態様の洗浄剤組成物は、（ａ２）成分を、繊維製品に付着した汚れの洗浄性をより高める観点から、好ましくは０．１質量％以上、より好ましくは０．３質量％以上、更に好ましくは０．４質量％以上、より更に好ましくは０．５質量％以上、更に好ましくは１質量％以上、そして、繊維製品に適用した洗浄剤組成物の手触りがよりべたつかない観点から、好ましくは１０質量％以下、より好ましくは９質量％以下、更に好ましくは８質量％以下、より更に好ましくは７質量％以下、より更に好ましくは６質量％以下、より更に好ましくは５質量％以下含有する。
【００７６】
本発明の第２の態様の洗浄剤組成物において、（ａ２１）成分を含有する場合、前記組成物中に含まれる全界面活性剤中、（ａ２１）成分の含有量は、洗浄性の観点から、好ましくは２０質量％以上、より好ましくは４０質量％以上、更に好ましくは６０質量％以上、より更に好ましくは８０質量％以上、そして、好ましくは１００質量％以下であり、また１００質量％であってもよい。
【００７７】
本発明の第２の態様の洗浄剤組成物は、（ｂ）成分として、ＣｌｏｇＰが−２．０以上１．０未満の水酸基を有する有機溶剤を含有することが好ましい。（ｂ）成分は（ａ２）成分と特定の比率で用いることで、（ａ２）成分による繊維製品に付着した汚れの洗浄性を維持しつつ、該汚れ部分を中心とした汚れの拡散を低減する作用を有する。本発明においてＣＬｏｇＰはＰｅｒｋｉｎ  Ｅｌｍｅｒ社のＣｈｅｍＢｉｏＤｒａｗ Ｕｌｔｒａｖｅｒ．１４．０のＣｈｅｍＰｒｏｐｅｒｔｙを用いて算出した計算値を用いる。なお、ＣｌｏｇＰの値が大きい程、疎水性が高いことを表す。
【００７８】
（ａ２）成分と併用することで、（ａ２）成分による繊維製品に付着した汚れの洗浄性を維持しつつ、該汚れ部分を中心とした汚れの拡散をより低減する観点から、（ｂ）成分のＣｌｏｇＰは、好ましくは−１．６以上、より好ましくは−１．３以上、そして同じ観点から、好ましくは０．８以下、より好ましくは０．５以下、更に好ましくは０．２以下、より更に好ましくは０．１以下である。
【００７９】
（ａ２）成分と併用することで、（ａ２）成分による繊維製品に付着した汚れの洗浄性を維持しつつ、該汚れ部分を中心とした汚れの拡散を低減する作用をより有する点で、（ｂ）成分は、下記（ｂ１）〜（ｂ３）成分から選ばれる１種以上の水酸基を有する有機溶剤が好ましい。
（ｂ１）成分：炭素数２以上６以下の１価のアルコールであって、ＣｌｏｇＰが−２．０以上１．０未満の水酸基を有する有機溶剤
（ｂ２）成分：炭素数２以上１２以下、且つ２価以上１２価以下のアルコールであって、ＣｌｏｇＰが−２．０以上１．０未満の水酸基を有する水酸基を有する有機溶剤
（ｂ３）成分：炭素数１以上８以下の炭化水素基、エーテル基及び水酸基を有し、ＣｌｏｇＰが−２．０以上１．０未満である有機溶剤（但し、炭化水素基は芳香族基を除く。）
（ｂ１）成分〜（ｂ３）成分の具体例は、本発明の第１の態様において、上記した（ｂ１）成分〜（ｂ３）成分と同じである。
【００８０】
（ｂ）成分は、汚れが付着した中心部の洗浄性の向上と汚れの中心部からの拡がりを低減できる観点から、前記（ｂ１）成分と（ｂ２）成分を併用する事が好ましい。
本発明の第２の態様の洗浄剤組成物において、前記（ｂ１）成分と（ｂ２）成分を含有する場合、（ｂ１）成分の含有量と（ｂ２）成分の含有量の質量比（ｂ１）／（ｂ２）は、使用感の観点から、好ましくは０．１以上、より好ましくは０．２以上、更に好ましくは０．５以上、より更に好ましくは１以上、そして、好ましくは２０以下、より好ましくは１５以下、更に好ましくは１０以下、より更に好ましくは５以下、より更に好ましくは３以下である。
本発明では、（ｂ１）成分と（ｂ２）成分を併用する場合は、（ｂ）成分中、（ｂ１）成分と（ｂ２）成分の合計の割合は、好ましくは６０質量％以上、より好ましくは８０質量％以上、そして、好ましくは１００質量％以下であり、１００質量％であってもよい。
【００８１】
本発明で用いる（ｂ１）成分としては、使用感の観点から、エタノールが好ましく、（ｂ２）成分としては、液安定性の観点から、エチレングリコール、プロピレングリコール、グリセリン、ジエチレングリコール及びジプロピレングリコールから選ばれる１種以上が好ましい。
【００８２】
本発明の第２の態様の洗浄剤組成物は、（ｂ）成分を、繊維製品に付着した汚れの洗浄性と、該汚れ部分を中心とした汚れ拡散の低減を両立する観点から、好ましくは０．１質量％以上、より好ましくは０．２質量％以上、更に好ましくは０．３質量％以上、より更に好ましくは０．５質量％以上、そして、好ましくは１０質量％以下、より好ましくは８質量％以下、更に好ましくは５質量％以下、より更に好ましくは４質量％以下、より更に好ましくは３質量％以下、より更に好ましくは２質量％以下、より更に好ましくは１．５質量％以下含有する。
【００８３】
本発明の第２の態様の洗浄剤組成物において、（ａ２）成分の含有量と（ｂ）成分の含有量との質量比（ａ２）／（ｂ）は、繊維製品に付着した汚れの洗浄性がより高まる観点から、好ましくは０．６０以上、より更に好ましくは０．７０以上、より更に好ましくは０．８０以上、より更に好ましくは１．０以上、そして、繊維製品に付着した汚れ部分を中心とした汚れ拡散を低減する観点から、好ましくは５０以下、より好ましくは３０以下、更に好ましくは１０以下、より更に好ましくは７以下、より更に好ましくは５以下、より更に好ましくは３以下、より更に好ましくは２以下、より更に好ましくは１．５以下である。
【００８４】
本発明の洗浄剤組成物は、任意成分として、下記（ｃ２）成分〜（ｃ６）成分を含有することができる。
（ｃ２）成分：（ｂ）成分以外の有機溶剤
（ｃ３）成分：アミノ基及びヒドロキシル基を含む炭素数１以上８以下のヒドロキシルアミン化合物
（ｃ４）成分：炭素数１以上９以下のカルボン酸又はその塩
（ｃ５）成分：ケイ素原子を含む化合物
（ｃ６）成分：香料化合物、酸化防止剤、防腐剤、色素又はｐＨ調整剤（但し、前記（ａ２）成分、（ｂ）成分、（ｃ２）成分〜（ｃ５）成分を除く）
【００８５】
（ｃ２）成分の具体例、及び好ましい態様は、本発明の第１の態様の（ｃ２）成分と同じである。
本発明の第２の態様の洗浄剤組成物は、（ｃ２）成分を、０．０１質量％以上３質量％以下の範囲で含有することができる。
【００８６】
（ｃ３）成分の具体例、及び好ましい態様は、本発明の第１の態様の（ｃ３）成分と同じである。
本発明の第２の態様の洗浄剤組成物は、（ｃ２）成分を、０．１質量％以上２質量％以下の範囲で含有することができる。
【００８７】
（ｃ４）成分の具体例、及び好ましい態様は、本発明の第１の態様の（ｃ４）成分と同じである。
本発明の第２の態様の洗浄剤組成物は、（ｃ４）成分を、０．１質量％以上３質量％以下の範囲で含有することができる。
【００８８】
（ｃ５）成分の具体例、及び好ましい態様は、本発明の第１の態様の（ｃ５）成分と同じである。
本発明の第２の態様の洗浄剤組成物は、（ｃ５）成分を、０．０１質量％以上１質量％以下の範囲で含有することができる。
【００８９】
本発明の第２の態様の洗浄剤組成物は、水を含有する。水としては、イオン交換水、蒸留水、滅菌精製水、水道水又は次亜塩素酸ナトリウム等の次亜塩素酸塩を０．１ｍｇ／ｋｇ以上５ｍｇ／ｋｇ以下含む水を使用することができる。
本発明の第２の態様の洗浄剤組成物は、水を、好ましくは７０質量％以上、より好ましくは７５質量％以上、更に好ましくは８０質量％以上、そして、好ましくは９９質量％以下、より好ましくは９８質量％以下、更に好ましくは９７質量％以下含有する。
【００９０】
本発明の第２の態様の洗浄剤組成物において、２５℃におけるｐＨは、洗浄性能及び手肌感触の観点から、好ましくは６以上、より好ましくは６．５以上、更に好ましくは７．０以上、より更に好ましくは７．５以上、そして、好ましくは９．０以下、より好ましくは８．０以下である。本発明の第２の態様の洗浄剤組成物のｐＨは、ガラス電極を用いて、実施例に記載の方法で測定することができる。
【００９１】
＜洗浄シート＞
本発明の第２の態様の繊維製品用拭き取り洗浄シートは、本発明の第２の態様の洗浄剤組成物と、１種以上の親水性繊維を５０質量％以上含み、曲げ剛性値が０．１０ｇｆ・ｃｍ２／ｃｍ以上である不織布とを含んでなる、洗浄シートである。本発明の第２の態様の繊維製品用拭き取り洗浄シートは、繊維製品に付着した汚れの拭き取り用洗浄シートとして好適である。
【００９２】
本発明の第２の態様の繊維製品用拭き取り洗浄シートにおいて、不織布は、シート状に加工したものであり、不織布を構成する繊維は、親水性繊維、及び疎水性繊維から選ばれる１種以上の繊維から構成されるものであるが、不織布中の親水性繊維の含有量は５０質量％以上である。
本発明において、親水性繊維とは、標準状態の水分率（２０℃、６５％ＲＨ）が５％を超える繊維を指している。なお標準状態の水分率は、ＪＩＳＬ １０１３、ＪＩＳＬ１０１５に規定される方法により測定される。また疎水性繊維とは、標準状態の水分率（２０℃、６５％ＲＨ）が５質量％以下の繊維を指す。
【００９３】
疎水性繊維である化学繊維の具体例は、本発明の第１の態様で記載したものと同じである。
親水性繊維の具体例は、本発明の第１の態様で記載したものと同じである。
【００９４】
本発明に用いる不織布は、親水性繊維を、洗浄性をより高める観点から、５０質量％以上、好ましくは６０質量％以上、より好ましくは７０質量％以上、更に好ましくは７５質量％以上、そして、好ましくは１００質量％以下、より好ましくは９０質量％以下、更に好ましくは８５質量％以下含む不織布である。
【００９５】
本発明に用いる不織布の坪量は、繊維製品に付着した汚れ部分を中心とした汚れ拡散を低減する観点から、好ましくは１０ｇ／ｍ２以上、より好ましくは２０ｇ／ｍ２以上、そして、好ましくは１００ｇ／ｍ２以下、より好ましくは８０ｇ／ｍ２以下、更に好ましくは６０ｇ／ｍ２以下ある。
【００９６】
本発明に用いる不織布の曲げ剛性値（Ｂ値）は、洗浄性をより高める観点から、０．１０ｇｆ・ｃｍ２／ｃｍ以上、好ましくは０．１２ｇｆ・ｃｍ２／ｃｍ以上、より好ましくは０．１３ｇｆ・ｃｍ２／ｃｍ以上、更に好ましくは０．１５ｇｆ・ｃｍ２／ｃｍ以上、より更に好ましくは０．２ｇｆ・ｃｍ２／ｃｍ以上、そして、好ましくは３ｇｆ・ｃｍ２／ｃｍ以下、より好ましくは２ｇｆ・ｃｍ２／ｃｍ以下、更に好ましくは１ｇｆ・ｃｍ２／ｃｍ以下である。本発明において、曲げ剛性値は以下の方法により測定することができる。純曲げ試験機（例えば、KES-FB2（カトーテック株式会社製））を使用し、２０ｃｍ×２０ｃｍの大きさに裁断した不織布を、曲率Ｋ＝±２．５ｃｍ−１の範囲で等速度（変形速度０．５ｃｍ−１／ｓｅｃ.）の曲げ試験を行い、単位長さあたりの曲げ剛性Ｂ値（ｇｆ・ｃｍ２／ｃｍ）を算出する。曲げ試験は、縦方向と横方向で３か所ずつ実施し、縦方向と横方向のそれぞれの平均値を算出し、縦方向と横方向で、値の大きい方を曲げ剛性値（Ｂ値）とする。
【００９７】
不織布の質量に対する本発明の洗浄剤組成物の質量割合（含浸率（質量％））は、洗浄性をより高める観点から、好ましくは２００質量％以上、より好ましくは２５０質量％以上、更に好ましくは３００質量％以上、より更に好ましくは３５０質量％以上、そして、繊維製品に付着した汚れ周辺部の残留性をより低くする観点から、好ましくは６００質量％以下、より好ましくは５５０質量％以下、更に好ましくは５００質量％以下、好ましくは４２０質量％以下、より好ましくは３８０質量％以下、更に好ましくは３６０質量％以下である。含浸率は、以下の式より算出する。
含浸率（質量％）＝（（洗浄剤組成物を含浸させた不織布の質量）／（乾燥した不織布の質量）−１）×１００
【００９８】
本発明の第２の態様の繊維製品用拭き取り洗浄シートは、繊維製品の食べ物などに由来した汚れが付着した部分を本発明の洗浄シートを用いて清拭することで、該汚れ部分の汚れ度合を低減させることができる。
本発明が対象とする繊維製品に付着した汚れは、食べ物、血液、化粧品に由来する染み汚れであり、食べ物に由来する染み汚れを対象とするのがより好ましい。本発明の第２の態様の繊維製品用拭き取り洗浄シートを用いて拭き取る方法は、繊維製品に付着した染み汚れに本発明の洗浄シートを押し当てて、繊維製品に損傷を与えない範囲で外力を加えて、繊維製品に付着した染み汚れを本発明の洗浄シートに移し取ればよく、擦る、揉む、叩く、のいずれであってもよい。
【００９９】
上述した実施形態に関し、本発明はさらに以下の繊維製品用拭き取り洗浄シートを開示する。
【０１００】
＜１＞
下記（ａ１）成分を０．３質量％以上１０質量％以下、下記（ｂ）成分を０．１質量％以上、及び水を含有し、（ａ１）成分の含有量と（ｂ）成分の含有量との質量比（ａ１）／（ｂ）が０．６以上５０以下である洗浄剤組成物と、不織布とを含んでなり、不織布の質量に対する前記洗浄剤組成物の質量割合が２００質量％以上５００質量％以下である、繊維製品用拭き取り洗浄シート。
（ａ１）成分：ノニオン界面活性剤及びアニオン界面活性剤から選ばれる１種以上の界面活性剤
（ｂ）成分：ＣｌｏｇＰが−２．０以上１．０未満の水酸基を有する有機溶剤
【０１０１】
＜２＞
（ａ１）成分が、（ａ１１）ノニオン界面活性剤（以下、（ａ１１）成分という）である、前記＜１＞に記載の繊維製品用拭き取り洗浄シート。
【０１０２】
＜３＞
（ａ１１）成分が、下記一般式（ａ１１）で表されるノニオン界面活性剤であって、ＨＬＢが９以上、好ましくは９．５以上、より好ましくは１０以上、より更に好ましくは１０．５以上、より更に好ましくは１１以上、そして、１５以下、好ましくは１４．５以下、より好ましくは１４以下、より更に好ましくは１３以下、より更に好ましくは１２以下であるノニオン界面活性剤である、前記＜２＞に記載の繊維製品用拭き取り洗浄シート。
Ｒ１１ａ（ＣＯ）ｍ１Ｏ−（Ａ１１ａＯ）ｎ１−Ｒ１２ａ        （ａ１１）
〔式中、Ｒ１１ａは炭素数９以上１８以下の脂肪族炭化水素基であり、Ｒ１２ａは水素原子又はメチル基である。ＣＯはカルボニル基であり、ｍ１は０又は１の数である。Ａ１１ａＯ基はエチレンオキシ基を含む炭素数２以上４以下のアルキレンオキシ基である。ｎ１は平均付加モル数であって、３以上５０以下の数である。〕
【０１０３】
＜４＞
（ａ１）成分が、（ａ１２）アニオン界面活性剤（以下、（ａ１２）成分という）である、前記＜１＞に記載の繊維製品用拭き取り洗浄シート。
【０１０４】
＜５＞
（ａ１２）成分が、下記（ａ１２１）成分、（ａ１２２）成分、（ａ１２３）成分及び（ａ１２４）成分から選ばれる１種以上のアニオン界面活性剤である、前記＜４＞に記載の繊維製品用拭き取り洗浄シート。
（ａ１２１）成分：アルキル又はアルケニル硫酸エステル塩
（ａ１２２）成分：ポリオキシアルキレンアルキルエーテル硫酸エステル塩又はポリオキシアルキレンアルケニルエーテル硫酸エステル塩
（ａ１２３）成分：スルホン酸塩基を有するアニオン界面活性剤
（ａ１２４）成分：炭素数が１０以上２０以下の脂肪酸又はその塩（但し、（ａ１２３）成分を除く）
【０１０５】
＜６＞
（ｂ）成分のＣｌｏｇＰが、好ましくは−１．６以上、より好ましくは−１．３以上、そして、好ましくは０．８以下、より好ましくは０．５以下、更に好ましくは０．２以下、より更に好ましくは０．１以下である、前記＜１＞〜＜５＞の何れかに記載の繊維製品用拭き取り洗浄シート。
【０１０６】
＜７＞
前記組成物中に含まれる全界面活性剤中、（ａ１）成分の含有量が、好ましくは２０質量％以上、より好ましくは４０質量％以上、更に好ましくは６０質量％以上、より更に好ましくは８０質量％以上、そして、好ましくは１００質量％以下である、前記＜１＞〜＜６＞の何れかに記載の繊維製品用拭き取り洗浄シート。
【０１０７】
＜８＞
前記不織布を構成する繊維が、親水性繊維、及び疎水性繊維から選ばれる１種以上の繊維から構成されるものである、前記＜１＞〜＜７＞の何れかに記載の繊維製品用拭き取り洗浄シート。
【０１０８】
＜９＞
親水性繊維が、種子毛繊維、靭皮繊維、葉脈繊維、やし繊維、いぐさ、わら、獣毛繊維、絹繊維、羽毛、セルロース系繊維、及び親水化ポリエチレンテレフタレート繊維から選ばれる１種以上である、好ましくはセルロース系繊維、種子毛繊維、及び親水化ポリエチレンテレフタレート繊維から選ばれる１種以上である、前記＜８＞に記載の繊維製品用拭き取り洗浄シート。
【０１０９】
＜１０＞
疎水性繊維が、ポリエステル系繊維、ポリエステル系繊維、ポリアクリロニトリル系繊維、ポリビニルアルコール系繊維、ポリ塩化ビニル系繊維、ポリ塩化ビニリデン系繊維、ポリオレフィン系繊維、ポリウレタン系繊維、及びポリ塩化ビニル／ポリビニルアルコール共重合系繊維から選ばれる１種以上である、好ましくはポリオレフィン系繊維、ポリエステル系繊維、及びポリエステル系繊維から選ばれる１種以上である、前記＜８＞又は＜９＞に記載の繊維製品用拭き取り洗浄シート。
【０１１０】
＜１１＞
前記不織布が、親水性繊維を、好ましくは５０質量％以上、より好ましくは６０質量％以上、更に更に好ましくは７０質量％以上、より更に好ましくは７５質量％以上、そして、好ましくは１００質量％以下、より好ましくは９０質量％以下、更に好ましくは８５質量％以下含む、前記＜８＞〜＜１０＞の何れかに記載の繊維製品用拭き取り洗浄シート。
【０１１１】
＜１２＞
前記不織布の坪量が、好ましくは１０ｇ／ｍ２以上、より好ましくは２０ｇ／ｍ２以上、そして、好ましくは１００ｇ／ｍ２以下、より好ましくは８０ｇ／ｍ２以下、更に好ましくは６０ｇ／ｍ２以下ある、前記＜１＞〜＜１１＞の何れかに記載の繊維製品用拭き取り洗浄シート。
【０１１２】
＜１３＞
前記不織布の曲げ剛性値（Ｂ値）が、好ましくは０．１０ｇｆ・ｃｍ２／ｃｍ以上、より好ましくは０．１２ｇｆ・ｃｍ２／ｃｍ以上、更に好ましくは０．１３ｇｆ・ｃｍ２／ｃｍ以上、より更に好ましくは０．１５ｇｆ・ｃｍ２／ｃｍ以上、より更に好ましくは０．２ｇｆ・ｃｍ２／ｃｍ以上、そして、好ましくは３ｇｆ・ｃｍ２／ｃｍ以下、より好ましくは２ｇｆ・ｃｍ２／ｃｍ以下、更に好ましくは１ｇｆ・ｃｍ２／ｃｍ以下である、前記＜１＞〜＜１２＞の何れかに記載の繊維製品用拭き取り洗浄シート。
【０１１３】
＜１４＞
前記不織布の質量に対する洗期洗浄剤組成物の質量割合（含浸率（質量％））が、好ましくは２５０質量％以上、より好ましくは３００質量％以上、更に好ましくは３５０質量％以上、そして、好ましくは４２０質量％以下、より好ましくは３８０質量％以下、更に好ましくは３６０質量％以下である、前記＜１＞〜＜１３＞の何れかに記載の繊維製品用拭き取り洗浄シート。
【０１１４】
＜１５＞
前記＜１＞〜＜１４＞の何れかに記載の繊維製品用拭き取り洗浄シートを用いて、繊維製品に付着した食べ物、血液、化粧品に由来する染み汚れをふき取る清拭方法。
【実施例】
【０１１５】
[試験例１]
洗浄剤組成物に配合した成分、及び洗浄シートに使用した不織布を以下に示す。
＜（ａ１）成分＞
（ａ１−１）：ポリオキシエチレン（５）ラウリルエーテル（オキシエチレン基の平均付加モル数：５、ＨＬＢ：１０．８、花王（株）製）
（ａ１−２）：ポリオキシエチレン（６）ラウリルエーテル（オキシエチレン基の平均付加モル数：６、ＨＬＢ：１１．７、花王（株）製）
（ａ１−３）：ポリオキシエチレン（１０）ラウリルエーテル（オキシエチレン基の平均付加モル数：１０、ＨＬＢ：１４．１、花王（株）製）
（ａ１−４）：ポリオキシエチレン（１２）ラウリルエーテル（オキシエチレン基の平均付加モル数：１２、ＨＬＢ：１４．８、花王（株）製）
（ａ１−５）：アルキルベンゼンスルホン酸ナトリウム（アルキル基：ラウリル基、関東化学（株）製）
（ａ１−６）：アルキル硫酸エスエルナトリウム（アルキル基：ラウリル基、和光純薬（株）製）
（ａ１−７）：ポリオキシエチレン（２）アルキルエーテル硫酸ナトリウム（アルキル基：ラウリル基、オキシエチレン基の平均付加モル数：２、花王（株）製）
（ａ１−８）：ポリオキシエチレン（５）アルキルエーテル（アルキル基：炭素数基１４の第２級アルキル基、オキシエチレン基の平均付加モル数：５、ＨＬＢ：１０．０、ソフタノール５０、(株)日本触媒製）
（ａ１−８）：ポリオキシエチレン（７）アルキルエーテル（アルキル基：炭素数基１２〜１４の第２級アルキル基、オキシエチレン基の平均付加モル数：７、ＨＬＢ：１２．１、ソフタノール７０、(株)日本触媒製）
【０１１６】
＜（ｂ）成分＞
下記の（ｂ−１）成分、（ｂ−２）成分、後述する任意成分の（ｃ−２）成分の化合物の（  ）内の値は、Ｐｅｒｋｉｎ  Ｅｌｍｅｒ社のＣｈｅｍ Ｂｉｏ ＤｒａｗＵｌｔｒａｖｅｒ．１４．０のＣｈｅｍＰｒｏｐｅｒｔｙを用いて算出したＣｌｏｇＰの計算値である。
（ｂ−１）：プロピレングリコール（−１．１）
（ｂ−２）：エタノール（−０．２４）
【０１１７】
＜任意成分＞ 
（ｃ−１）：アルキルトリメチルアンモニウムクロリド（アルキル基はラウリル基／ミリスチル基＝７０／３０（質量比）の混合アルキル基）
（ｃ−２）：２−フェノキシエタノール（１．２）
（ｃ−３）：トリスヒドロキシメチルアミノメタン
（ｃ−４）：ジメチルポリシロキサン
（ｃ−５）：クエン酸
（ｃ−６）：苛性ソーダ（１質量％水溶液、ｐＨ調整剤として使用）
【０１１８】
＜不織布＞
Ａ：レーヨン／ポリプロピレン／ポリエステル（質量比８０／１０／１０）から構成される繊維、親水性繊維の含有量８０質量％、坪量６０ｇ／ｍ２、１３０ｍｍ×１００ｍｍ
Ｂ：レーヨン／ポリプロピレン／ポリエステル（質量比７０／１５／１５）から構成される繊維、親水性繊維の含有量７０質量％、坪量６０ｇ／ｍ２、１３０ｍｍ×１００ｍｍ
Ｃ：セルロースから構成される繊維、親水性繊維の含有量１００質量％、坪量３８ｇ／ｍ２、１３０ｍｍ×１００ｍｍ
Ｄ：親水化ポリエチレンテレフタレート（親水性繊維）／セルロース／ポリプロピレン／ポリエステル（質量比５０／４０／５／５）から構成される繊維、親水性繊維の含有量９０質量％、坪量４５ｇ／ｍ２、１３０ｍｍ×１００ｍｍ
【０１１９】
＜洗浄剤組成物の調製＞
上記配合成分を使用して、表１、表３、表４に記載の洗浄剤組成物を以下の通り調製した。１００ｍＬのガラス製ビーカーに（ａ１）成分、（ｂ）成分、ｐＨ調整剤以外の任意成分を投入し、必要量の９０質量％のイオン交換水（５０℃）を入れ、スターラーピース（テフロン（登録商標）製、長さ３ｃｍ）を入れ、サランラップ（登録商標）で封をして１０分間撹拌した。１０分撹拌後に５℃の水が入ったウォーターバスに移し、内容物の温度が２５℃になるまで撹拌しながら冷却した。ガラス製ｐＨ電極を備えたｐＨメーターを用いて、ｐＨ調整剤を添加し、所定のｐＨに調整した。内容物が１００質量％となるようにイオン交換水を投入した。最終組成物のｐＨを測定し表１、表３、表４に記載した。ｐＨの測定方法は以下の通りである。なお表１、表３、表４中、各配合成分の含有量は有効分量である。
【０１２０】
＜ｐＨの測定法＞
ｐＨメーター（ＨＯＲＩＢＡ製ｐＨ／イオンメーター  Ｆ−２３）にｐＨ測定用複合電極（ＨＯＲＩＢＡ製  ガラス摺り合わせスリーブ型）を接続し、電源を投入した。ｐＨ電極内部液としては、飽和塩化カリウム水溶液（３．３３モル／Ｌ）を使用した。次に、ｐＨ４．０１標準液（フタル酸塩標準液）、ｐＨ６．８６（中性リン酸塩標準液）、ｐＨ９．１８標準液（ホウ酸塩標準液）をそれぞれ１００ｍＬビーカーに充填し、２５℃の恒温槽に３０分間浸漬させた。恒温に調整された標準液にｐＨ測定用電極を３分間浸し、ｐＨ６．８６→ｐＨ９．１８→ｐＨ４．０１の順に校正操作を行った。測定対象となるサンプルを２５℃に調整し、前記のｐＨメーターの電極をサンプルに浸漬し、１分後のｐＨを測定した。
【０１２１】
＜繊維製品用拭き取り洗浄シートの調製＞
表１、表３、表４に記載の洗浄剤組成物を、上記所定のシート状の不織布に対して、所定の含浸率となるように含浸させて、表２、表３、表４に記載の繊維製品用拭き取り洗浄シートを調製した。
【０１２２】
＜洗浄試験＞
（１）試験布の前洗浄
市販のＴＣブロード（木綿／ポリエステル比＝６５／３５、染色試材株式会社谷頭商店より購入）を１ｍ×１ｍの大きさに裁断し、約１．５ｋｇの質量となる枚数を用意した。市水にエマルゲン１０８（ポリオキシエチレンアルキルエーテル、花王（株）製）を５００ｍｇ／ｋｇとなるように溶解し、全自動洗濯機（東芝製、型番ＡＷ-８Ｄ３Ｍ）で３回洗浄操作を行った。浴比は２０、水温は１５℃であった。その後、泡が出なくなるまで流水濯ぎを行い、乾燥させたものを使用した。
【０１２３】
（２）カレー汚染布の調製
前洗浄を行ったＴＣブロードを６ｃｍ×６ｃｍに裁断し、３枚重ねたものに対し、５０℃の恒温槽にて加温したカレー（SootThai Red Curry、カルディにて購入）５０μlを直径1ｃｍの円状に塗布し、２３℃、５０％ＲＨの環境下で２０分間静置した。３枚重ねたものの一番上の１枚をカレー汚染布として使用した。
【０１２４】
（３）洗浄試験方法
表２、表３、表４に記載の各洗浄シートを用いて、カレー汚染布の汚れを付着させた面を５０回拭き取り試験を行った。尚、前記洗浄シートよる拭き取り試験において、繊維製品に付着した汚れと接触する一つの面で１０回ふき取る毎に、洗浄シートの面を替えて拭き取る洗浄操作を行った。清拭後、カレー汚染布を２５℃、６０％ＲＨの環境下で１２時間静置した。
【０１２５】
（４）洗浄力評価方法
（４−１）汚れ除去率の評価方法
静置後のカレー汚染布について、汚れを付着させた面の反射率測定(日本電色工場（株）製、NF777、測定対象範囲：汚れ中心部の直径５ｍｍの円)を行った。汚れ除去率は下式より算出し、異なるカレー汚染布３枚の測定の平均値を表２、表３、表４に示した。なお、清拭前の反射率（Ｚ値）をＺａ、清拭後のＺ値をＺｂ、白布のＺ値をＺｏとする。
汚れ除去率（％）=（Ｚｂ−Ｚａ）／（Ｚｏ−Ｚａ）×１００
汚れ除去率の値が高い程、洗浄力に優れることを意味し、汚れ除去率が７０％以上のものが好ましい。
【０１２６】
（４−２）汚れ周辺部の汚れ残留率の評価方法
（４−１）の評価後、カレー汚染布の汚れ中心部から３ｃｍ離れた部分の反射率測定(日本電色工場（株）製、NF777、測定対象範囲：直径５ｍｍの円)を行った。汚れ周辺部の汚れ残留率は下式より算出し、異なるカレー汚染布３枚の測定の平均値を表２、表３、表４に示した。なお、カレー汚染布の汚れ中心部から３ｃｍ離れ部分の清拭後の反射率（Ｚ値）をＺｃ、白布のＺ値をＺｏとする。
汚れ周辺部の汚れ残留率（％）＝(Ｚｏ−Ｚｃ)／Ｚｏ×１００
汚れ周辺部の汚れ残留率が小さい程、清拭により汚れが拡散していないことを意味し、値が１５％以下のものが好ましい。
【０１２７】
【表１】
2020109165.tif 000002
【０１２８】
【表２】
2020109165.tif 000003
【０１２９】
【表３】
2020109165.tif 000004
【０１３０】
【表４】
2020109165.tif 000005
【０１３１】
［試験例２］
洗浄剤組成物に配合した成分を以下に示す。
＜（ａ２）成分＞
（ａ２−１）：ポリオキシエチレン（５）ラウリルエーテル（オキシエチレン基の平均付加モル数：５、ＨＬＢ：１０．８、花王（株）製）
（ａ２−２）：アルキルトリメチルアンモニウムクロリド（アルキル基はラウリル基／ミリスチル基＝７０／３０（質量比）の混合アルキル基）
【０１３２】
＜（ｂ）成分＞
下記の（ｂ−１）成分、（ｂ−２）成分、後述する任意成分の（ｃ−２）成分の化合物の（  ）内の値は、Ｐｅｒｋｉｎ  Ｅｌｍｅｒ社のＣｈｅｍ Ｂｉｏ ＤｒａｗＵｌｔｒａｖｅｒ．１４．０のＣｈｅｍＰｒｏｐｅｒｔｙを用いて算出したＣｌｏｇＰの計算値である。
（ｂ−１）：プロピレングリコール（−１．１）
（ｂ−２）：エタノール（−０．２４）
【０１３３】
＜任意成分＞
（ｃ−２）：２−フェノキシエタノール（１．２）
（ｃ−３）：トリスヒドロキシメチルアミノメタン
（ｃ−４）：ジメチルポリシロキサン
（ｃ−５）：クエン酸
（ｃ−６）：苛性ソーダ（１質量％水溶液、ｐＨ調整剤として使用）
【０１３４】
＜洗浄剤組成物の調製＞
上記配合成分を使用して、表５に記載の洗浄剤組成物を以下の通り調製した。１００ｍＬのガラス製ビーカーに（ａ２）成分、（ｂ）成分、ｐＨ調整剤以外の任意成分を投入し、必要量の９０質量％のイオン交換水（５０℃）を入れ、スターラーピース（テフロン（登録商標）製、長さ３ｃｍ）を入れ、サランラップ（登録商標）で封をして１０分間撹拌した。１０分撹拌後に５℃の水が入ったウォーターバスに移し、内容物の温度が２５℃になるまで撹拌しながら冷却した。ガラス製ｐＨ電極を備えたｐＨメーターを用いて、ｐＨ調整剤を添加し、所定のｐＨに調整した。内容物が１００質量％となるようにイオン交換水を投入した。最終組成物のｐＨを測定し表５に記載した。ｐＨの測定方法は試験例１と同じである。なお表５中、各配合成分の含有量は有効分量である。
【０１３５】
【表５】
2020109165.tif 000006
【０１３６】
＜繊維製品用拭き取り洗浄シートの調製＞
表６に記載の各種繊維で構成された不織布（シート状、１３０ｍｍ×１００ｍｍ）に、不織布に対して表５に記載の洗浄剤組成物（２０℃）を３５０質量％となるように含浸させて、表６に記載の繊維製品用拭き取り用洗浄シートを調製した。表６に記載の各不織布の曲げ剛性値Ｂは下記の測定方法で測定した。
【０１３７】
＜曲げ剛性Ｂ測定法＞
KES-FB2（カトーテック株式会社製）純曲げ試験機を使用し、２０ｃｍ×２０ｃｍの大きさに裁断した各不織布を、曲率Ｋ＝±２．５ｃｍ−１の範囲で等速度（変形速度０．５ｃｍ−１／ｓｅｃ.）の曲げ試験を行った。前記曲げ試験を１サイクルとし、曲げ特性値として、単位長さあたりの曲げ剛性Ｂ値（ｇｆ・ｃｍ２／ｃｍ）を求めた。縦方向と横方向で３か所ずつ実施し、平均値を算出した。縦横方向で、値の大きい方を曲げ剛性Ｂ値として表６に示した。
【０１３８】
＜洗浄試験＞
（１）試験布の前洗浄
市販のＴＣブロード（木綿／ポリエステル比＝６５／３５、染色試材株式会社谷頭商店より購入）を１ｍ×１ｍの大きさに裁断し、約１．５ｋｇの質量となる枚数を用意した。市水にエマルゲン１０８（ポリオキシエチレンアルキルエーテル、花王（株）製）を５００ｍｇ／ｋｇとなるように溶解し、全自動洗濯機（東芝製、型番ＡＷ-８Ｄ３Ｍ）で３回洗浄操作を行った。浴比は２０、水温は１５℃であった。その後、泡が出なくなるまで流水濯ぎを行い、乾燥させたものを使用した。
【０１３９】
（２）カレー汚染布の調製
前洗浄を行ったＴＣブロードを６ｃｍ×６ｃｍに裁断し、３枚重ねたものに対し、５０℃の恒温槽にて加温したカレー（SootThai Red Curry、カルディにて購入）５０μlを直径1ｃｍの円状に塗布し、２３℃、５０％ＲＨの環境下で２０分間静置した。３枚重ねたものの一番上の１枚をカレー汚染布として使用した。
【０１４０】
（３）洗浄試験方法
表６に記載の各洗浄シートを用いて、カレー汚染布の汚れを付着させた面を５０回拭き取り試験を行った。尚、前記洗浄シートよる拭き取り試験において、繊維製品に付着した汚れと接触する一つの面で１０回ふき取る毎に、洗浄シートの面を替えて拭き取る洗浄操作を行った。清拭後、カレー汚染布を２５℃、６０％ＲＨの環境下で１２時間静置した。
【０１４１】
（４）汚れ除去率の評価方法
静置後のカレー汚染布について、汚れを付着させた面の反射率測定(日本電色工場（株）製、NF777、測定対象範囲：汚れ中心部の直径５ｍｍの円)を行った。汚れ除去率は下式より算出し、異なるカレー汚染布３枚の測定の平均値を表６に示した。なお、清拭前の反射率（Ｚ値）をＺａ、清拭後のＺ値をＺｂ、白布のＺ値をＺｏとする。
汚れ除去率（％）=（Ｚｂ−Ｚａ）／（Ｚｏ−Ｚａ）×１００
汚れ除去率の値が高い程、洗浄力に優れることを意味し、汚れ除去率が７０％以上のものが好ましい。
【０１４２】
【表６】
2020109165.tif 000007